(57)【要約】  【課題】操作スイッチの操作によって簡単かつ確実に一灯のみを点灯させて省電力を図ることのできるようにした蛍光灯器具を提供する。  【解決手段】二灯直列形の蛍光灯器具の２つのうちの一方の蛍光灯が装着されるソケット(S) 対の間に装着されて他方の蛍光灯(10)を点灯させるダミー管(20)において、２つのうちの一方の蛍光灯が装着されるソケット対の間に装着され、両端にソケットに電気的に接続される電極(20C,20D)が設けられた管(20A)と、直流抵抗成分が小さく、管の対向する電極の間に接続され、他方の蛍光灯に通電する通電回路(20E)と、通電回路の途中に設けられ、通電回路を接断するための操作スイッチ(20J)と、を備える。【選択図】  図１
2007311226.tif 000002
【特許請求の範囲】
【請求項１】
二灯直列形の蛍光灯器具の２つのうちの一方の蛍光灯が装着されるソケット対の間に装着されて他方の蛍光灯を点灯させるダミー管において、
上記２つのうちの一方の蛍光灯が装着されるソケット対の間に装着され、両端に上記ソケットに電気的に接続される電極が設けられた管と、
直流抵抗成分が小さく、上記管の対向する電極の間に接続され、上記他方の蛍光灯に通電する通電回路と、
該通電回路の途中に設けられ、上記通電回路を接断するための操作スイッチと、
を備えたことを特徴とする蛍光灯器具用ダミー管。
【請求項２】
上記通電回路がコンデンサを用いて構成されている請求項１記載の蛍光灯器具用ダミー管。
【請求項３】
上記操作スイッチは上記管から垂下された紐を引くことによって操作されるプルスイッチである請求項１記載の蛍光灯器具用ダミー管。
【請求項４】
上記操作スイッチは上記管の外方から操作され得るプッシュスイッチ又はスナップスイッチである請求項１記載の蛍光灯器具用ダミー管。
【発明の詳細な説明】
【技術分野】
【０００１】
本発明は蛍光灯器具用ダミー管に関し、特に二灯直列形の蛍光灯器具において蛍光灯が寿命切れになって点滅し始めた時に素早く対応でき、新品の蛍光灯と交換するまのでの間における蛍光灯の口金の黒変やソケットの溶着の発生を確実に防止できるようにしたダミー管に関する。
【背景技術】
【０００２】
オフィス、店舗、工場等では天井に多数の二灯形蛍光灯器具を取付けて室内全体を照明することがよく行われている。この二灯形蛍光灯器具には並列式と直列式とがあるが、性能及び価格の点で優れている直列式が普及しているのが実情である。
【０００３】
最近、省エネルギーが叫ばれ、照明器具に関しても、昼間等のように二灯による明るい照明を必要としないときには一灯を消灯して省電力を図ることが行われているが、直列式の二灯形蛍光灯器具では一灯を外すと、残りの一灯も消灯してしまう。
【０００４】
これに対し、直列式の二灯形蛍光灯器具において通常の蛍光灯に代え、対向する２つの接続端子の間に直流抵抗成分の小さい通電手段を接続したダミー管を用い、残った一灯を点灯させることが提案されている（特許文献１、特許文献２、特許文献３）。
【０００５】
【特許文献１】特開昭５３−４５０７１号公報
【特許文献２】実開昭５６−１３０２９６号公報
【特許文献３】特開２０００−２０８２３８号公報
【発明の開示】
【発明が解決しようとする課題】
【０００６】
二灯直列形の蛍光灯器具にダミー管をセットすると、消費電力を低減して省エネルギーを図ることができるものの、点灯させるべき蛍光灯が古くなって寿命切れになり、点滅し始めると、蛍光灯の口金が黒く変色し、最悪の場合にはソケットの溶着が発生することがあった。
【０００７】
これに対し、蛍光灯が寿命切れとなって点滅し始めた時に、すぐに新品の蛍光灯に交換すると、蛍光灯の口金の黒変やソケットの溶着が発生することはないが、常に新品の蛍光灯が用意されている訳ではなく、新品の蛍光灯が準備できるまで寿命に達した蛍光灯をそのまま使い続けることが多いのが実情である。
【０００８】
本発明はかかる点に鑑み、蛍光灯が寿命切れになって点滅し始めた時に素早く対応でき、新品の蛍光灯と交換するまでの間における蛍光灯の口金の黒変やソケットの溶着の発生を確実に防止できるようにした蛍光灯器具用ダミー管を提供することを課題とする。
【課題を解決するための手段】
【０００９】
そこで、本発明に係る蛍光灯器具用ダミー管は、二灯直列形の蛍光灯器具の２つのうちの一方の蛍光灯が装着されるソケット対の間に装着されて他方の蛍光灯を点灯させるダミー管において、上記２つのうちの一方の蛍光灯が装着されるソケット対の間に装着され、両端に上記ソケットに電気的に接続される電極が設けられた管と、直流抵抗成分が小さく、上記管の対向する電極の間に接続され、上記他方の蛍光灯に通電する通電回路と、該通電回路の途中に設けられ、上記通電回路を接断するための操作スイッチと、を備えたことを特徴とする。
【００１０】
二灯直列形の蛍光灯器具においてダミー管を用いると、ダミー管と蛍光灯とが直列の関係になるので、蛍光灯が古くなって寿命切れとなってもダミー管に内蔵されたコンデンサから蛍光灯のフィラメントにパルス状の放電電流が流れて点滅し、そのまま点滅が繰り返されると蛍光灯のフィラメントが断線する。
【００１１】
通常、蛍光灯のフィラメントが断線すると、蛍光灯は点灯しないが、フィラメント又はリードが何らかの原因でリング状の補助電極に接触してフィラメントが短絡した状態となることがある。かかる場合、蛍光灯をダミー管と組合せて使用すると、ダミー管のインピーダンスが低いことから、寿命切れの蛍光灯に常に二次電圧が印加され、ダミー管の放電電流によって異常放電が発生する。この異常放電が継続すると、蛍光灯の口金の温度が約１２０°Ｃ〜１８６°Ｃまで上昇する一方、ソケットには融点１６０°Ｃ〜１７０°Ｃのプロピレン樹脂が用いられていることが多いことから、ソケットの溶着が発生することが分かった。
【００１２】
本件発明の特徴の１つはダミー管の通電回路を接断する操作スイッチを設けるようにした点にある。これにより、蛍光灯が寿命切れとなり、点滅し始めた時にダミー管の通電回路を遮断することにより、蛍光灯に二次電圧が印加されることがなくなり、蛍光灯口金の黒変やソケットの溶着が起こるのを回避できる。
【００１３】
通電回路は直流抵抗成分を小さい回路であればよく、例えばコンデンサ、リアクトル、抵抗などを用いて構成されることができる。
【００１４】
操作スイッチは通電回路を接断できればよく、例えば管から垂下された紐を引くことによって操作されるプルスイッチ、管の外方から操作され得るプッシュスイッチやスナップスイッチを用いることができる。
【発明を実施するための最良の形態】
【００１５】
以下、本発明を図面に示す具体例に基づいて詳細に説明する。図１ないし図４は本発明に係る蛍光灯器具用ダミー管の好ましい実施形態を示す。図において、蛍光灯器具には安定器３０が内蔵され、安定器３０は変圧器Ｔと磁気洩れ変圧器Ｔ0 から構成されている。
【００１６】
変圧器Ｔの１次側コイルには商用電圧Ｖが印加され、２次側コイルの出力端から誘導電圧が取り出され、フィラメント加熱回路４１によってダミー管２０の両端の電極ピンＰ及び蛍光管１０のダミー管２０側の電極ピンＰが接続されるソケットＳに印加されるようになっている。また、変圧器Ｔの１次側コイルの途中からもフィラメント加熱電圧が取り出され、フィラメント加熱回路４１によって蛍光管１０のソケットＳに印加されるようになっている。
【００１７】
安定器Ｔには点灯回路４０が接続され、安定器３０の変圧器Ｔの商用電圧及び磁気洩れ変圧器Ｔ0 の誘導電圧を蛍光管１０及びダミー管２０が構成する直列回路の両端のソケットＳに印加するようになっている。また、Ｃ1 は力率改善用コンデンサ、Ｒ1 はその放電抵抗、Ｃ2 、Ｃ3 は２本の蛍光管の直列逐次点灯用コンデンサである。
【００１８】
蛍光灯１０はガラス管の両端に口金が設けられ、口金には２本の電極ピンＰが突設され、蛍光灯１０の口金内にはフィラメントＦが２本の電極ピンＰ間を接続して設けられている。
【００１９】
ダミー管２０は管２０Ａの両端に口金形状部２０Ｂを固着して構成され、口金形状部２０Ｂには２本の電極ピン２０Ｃ、２０Ｄが突設されることにより通常の蛍光灯１０とほぼ同様の形態に製作されている。但し、ダミー管２０ではガラス管に代え、例えば耐熱合成樹脂製の管が用いられている。
【００２０】
また、対向する一方の電極ピン２０Ｃの間には通電回路２０Ｅが接続され、通電回路２０Ｅには、ヒューズ２０Ｆ、直流抵抗成分の小さい電流制限用のコンデンサ２０Ｇ及びダイオード２０Ｈが接続されている。通電回路２０Ｅにはプルスイッチ（操作スイッチ）２０Ｊが接続され、プルスイッチ２０Ｊの紐は管２０Ａを挿通して垂下されている。
【００２１】
次に、動作について説明する。１本の蛍光灯１０のみを点灯させて省電力を図る場合、他方の蛍光灯を取外し、そこに本例のダミー管２０を装着する。その状態で安定器３０の変圧器Ｔの１次側コイルに商用電圧を印加すると、変圧器Ｔの２次側コイルにはフィラメント加熱電流が発生するが、ダミー管２０の両端電極ピンＰには発生したフィラメント加熱電流は流れない。
【００２２】
点灯初期には変圧器Ｔと磁気洩れ変圧器Ｔ0 の直列出力電圧の印加される回路を考察すると次のようになる。まず、変圧器Ｔ及び磁気洩れ変圧器Ｔ0 の両端電圧は回路電流がなければ高い電圧が発生する。コンデンサＣ1 及びコンデンサＣ4 は低インピーダンスであり、コンデンサＣ2 及びコンデンサＣ3 は高インピーダンスである。蛍光灯１０の両端フィラメントＦの間は点灯するまでは高インピーダンスであり、この回路の電流は少なく、蛍光灯１０の両端フィラメントＦの間に高い電圧が瞬間に印加され、蛍光灯１０が点灯する。その後、蛍光灯１０の両端フィラメントＦにはフィラメント加熱電流が流れて安定した点灯状態に移行し、こうして蛍光灯１０が点灯する。
【００２３】
その際、ダミー管２０では両端の電極ピン２０Ｃ、２０Ｃ間が通電初路２０Ｅで接続され、通電回路２０Ｅの途中に電流制限用コンデンサ２０Ｇが介設されているので、制限された電流が流れる。
【００２４】
従って、蛍光灯器具の全体として見た場合には１本の蛍光灯１０のみが点灯し、電流制限用コンデンサＣ4 の容量を適宜設定することによって蛍光灯１０に流れる電流を二灯とも点灯する場合の電流に制御することができ、消費電力を大幅に低減できる。
【００２５】
また、電流制限用コンデンサＣ4 の容量を適宜設定することによって蛍光灯１０に流れる電流を任意に照度を調整することもできる。
【００２６】
今、蛍光灯器具にダミー管２０を用いると、ダミー管２０と蛍光灯１０とが直列の関係になるので、蛍光灯１０が古くなって寿命切れとなってもダミー管２０に内蔵されたコンデンサ２０Ｇから蛍光灯１０のフィラメントＦにパルス状の放電電流が流れて点滅し、そのまま点滅が繰り返されると蛍光灯のフィラメントが断線する。
【００２７】
本例のダミー管２０では蛍光灯１０が点滅を開始すると、プルスイッチ２０Ｊの紐を引っ張り、プルスイッチ２０ＪをＯＦＦにすると、ダミー管２０の通電回路２０Ｅが開成され、電流が遮断されるので、寿命切れの蛍光灯１０に二次電圧が印加されず、ダミー管２０の放電電流による異常放電も発生しないので、蛍光灯１０の口金の黒変やソケットＳの溶着を確実に回避できる。
【図面の簡単な説明】
【００２８】
【図１】本発明に係るダミー管の好ましい実施形態を備えた蛍光灯器具の回路構成の１例を示す図である。
【図２】上記実施形態におけるダミー管の構造を示す図である。
【図３】上記ダミー管の口金形状部分を示す図である。
【図４】上記ダミー管の回路構成の１例を示す図である。
【符号の説明】
【００２９】
１０      蛍光灯
２０      ダミー管
２０Ａ    管
２０Ｂ    口金形状部分
２０Ｃ、２０Ｄ        電極ピン
２０Ｅ    通電回路
２０Ｇ    コンデンサ
２０Ｈ    ダイオード
２０Ｊ    プルスイッチ（操作スイッチ）
Ｓ        ソケット
【図１】
2007311226.tif 000003
【図２】
2007311226.tif 000004
【図３】
2007311226.tif 000005
【図４】
2007311226.tif 000006